(57)【要約】【課題】ガスケットがハウジング側から脱落する危険性が無く、組み付け工数が少なく、信頼性が高いガスケット構造体を安価に提供できることを目的とするものである。【解決手段】ゴム状弾性材製ガスケットを固着する熱可塑性樹脂材製のハウジングに設けた突起の先端が、超音波溶着、振動溶着等の溶融手段により係止用の拡張部が形成されたものであって、前記ガスケットが前記拡張部を包み込む様に一体成形されていることを特徴とする。【選択図】図１
2011047488.tif 000002
【特許請求の範囲】
【請求項１】
ゴム状弾性材製ガスケット（１）を固着する熱可塑性樹脂材製のハウジング（２）に設けた突起（２１）の先端（２１１）に溶融により係止用の拡張部（２１２）が形成されたものであって、前記ガスケット（１）が前記拡張部（２１２）を包み込む様に一体成形されていることを特徴とするガスケット構造体。
【請求項２】
前記拡張部（２１２）が、前記突起（２１）の前記先端（２１１）の全体に渡って形成されていることを特徴とする請求項１記載のガスケット構造体。
【請求項３】
前記拡張部（２１２）が、前記突起（２１）の前記先端（２１１）の一部分に形成されていることを特徴とする請求項１記載のガスケット構造体。
【請求項４】
前記突起（２１）が、前記ハウジング（２）に設けた溝（２２）内に存在することを特徴とする請求項１〜３いずれか一項に記載のガスケット構造体。
【請求項５】
ゴム状弾性材製ガスケット（１）を固着する樹脂材製のハウジング（２）に突起（２１）を設ける工程と、
前記突起（２１）の先端（２１１）を溶融することにより係止用の拡張部（２１２）を形成する工程と、
前記拡張部（２１２）を包み込む様に前記ゴム状弾性材製ガスケット（１）を形成する工程と、を有することを特徴とするガスケット構造体の製造方法。
【請求項６】
前記突起（２１）の先端（２１１）の溶融が、超音波溶融方法により行われることを特徴とする請求項５記載のガスケット構造体の製造方法。
【請求項７】
前記突起（２１）の先端（２１１）の溶融が、振動溶着方法により行われることを特徴とする請求項５記載のガスケット構造体の製造方法。
【発明の詳細な説明】
【技術分野】
【０００１】
本発明は、ガスケット構造体及びその製造方法に関するものであり、更に詳しくは、樹脂材製のハウジングにゴム状弾性材製ガスケットを容易且つ確実に固着出来るガスケット構造体及びその製造方法に関するものである。
【背景技術】
【０００２】
従来、樹脂材製の、エンジン用カムカバー、燃料電池、電子機器等のハウジング間の間隙を密封するために、この間隙にゴム状弾性材製のガスケットが使用されている。
そして、このガスケットを樹脂材製の一方のハウジングに保持する方法として、各種の方策が提案されている。
その一つの方策が、ハウジングに設けた溝に、単体で成形したガスケットを組み込む方法である（特許文献１）。
【０００３】
しかし、この方法は、ガスケットをハウジング側に設けた溝にはめ込む手間が掛かるばかりでなく、はめ込んだ後に、ガスケットが溝から抜け落ちる問題を惹起した。
この為、ガスケットが溝の側面と接触する箇所に、特殊な抜け止め用突起を設ける態様が提案されたが（特許文献１）、十分満足出来るものではなかった。
【０００４】
そこで、近年は、図９及び図１０に示す様に、組み付け工数の低減や信頼性アップを目的に、ハウジングにガスケットを一体化する傾向がある。
また、射出成形が可能なゴム材料が多くなってきた関係から、ハウジングとガスケットとの一体化が進んできている。
しかし、樹脂材製のハウジング２００とゴム状弾性材製ガスケット１００との接合方法には課題であり、予めハウジング２００側に接着処理を施したり、ガスケット１００のゴム材料を選択接着性にしたりするなどの工夫が必要であった。
また、図１０に示す様に、樹脂材製のハウジング２００に設けた溝２２０にゴム状弾性材製ガスケット１００を接合させる態様とすることで、更に両者の接着強度を増大させる態様が提案されたが、図９のものに比べ、製造コストが更に嵩んだ。
【０００５】
特に、接着処理には、塗布工程が必要となるばかりで無く、乾燥や高温処理など時間を要する場合が多く、生産コストのアップに繋がる問題があった。
また、選択接着ゴムを使用した場合、ハウジングの材質とゴムの材質との組み合わせに制限が発生し、使用用途によっては対応できない問題があった。
【０００６】
他の方策として、ハウジングの溝形状をアリ溝形状にして（特許文献２）、物理的にガスケットが溝から脱落しない形状にする手法も考えられるが、ハウジングの溝をアリ溝形状とすることは、成形が困難で事実上不可能であった。
【先行技術文献】
【特許文献】
【０００７】
【特許文献１】特開２００５−２４３７６２号公報
【特許文献２】実用新案登録第３０９０１５０号公報
【発明の概要】
【発明が解決しようとする課題】
【０００８】
本発明は、ガスケットがハウジング側から脱落する危険性が無く、組み付け工数が少なく、信頼性が高いガスケット構造体を安価に提供できることを目的とするものである。
【課題を解決するための手段】
【０００９】
上記目的を達成するために本発明にあっては、ゴム状弾性材製ガスケットを固着する熱可塑性樹脂材製のハウジングに設けた突起の先端に溶融により係止用の拡張部が形成されたものであって、前記ガスケットが前記拡張部を包み込む様に一体成形されていることを特徴とする。
【００１０】
また、上記目的を達成するために本発明にあっては、ゴム状弾性材製ガスケットを固着する樹脂材製のハウジングに突起を設ける工程と、
前記突起の先端を溶融することにより係止用の拡張部を形成する工程と、
前記拡張部を包み込む様に前記ゴム状弾性材製ガスケットを形成する工程と、
を有することを特徴とする。
【発明の効果】
【００１１】
本発明は、以下に記載されるような効果を奏する。
請求項１記載の発明のガスケット構造体によれば、ガスケットがハウジング側から脱落する危険性が無く、組み付け工数が少なく、信頼性が高いガスケット構造体を安価に提供出来る。
また、請求項２記載の発明のガスケット構造体によれば、ガスケットの全領域において、ガスケットがハウジング側から脱落する危険性を回避出来る。
【００１２】
更に、請求項３記載の発明のガスケット構造体によれば、信頼性が高いガスケット構造体を、より安価に提供出来る。
更に、請求項４記載の発明のガスケット構造体によれば、ガスケットがハウジング側から脱落する危険性を、より確実に阻止することが出来る。
【００１３】
更に、請求項５記載の発明のガスケット構造体の製造方法によれば、信頼性が高いガスケット構造体を安価に提供出来る。
更に、請求項６記載の発明のガスケット構造体の製造方法によれば、ハウジングに対する熱的悪影響を最小限に留め、短時間に溶融処理が出来る。
【００１４】
更に、請求項７記載の発明のガスケット構造体の製造方法によれば、ウジングに対する熱的悪影響を最小限に留め、短時間に溶融処理が出来ると共に、所定の拡張部を容易に得られる。
【図面の簡単な説明】
【００１５】
【図１】本発明に係る第１の形態のガスケット構造体の断面図。
【図２】第１の形態のガスケット構造体の樹脂材製のハウジングに突起を設けた断面図。
【図３】図２の樹脂材製のハウジングの突起先端を溶融して拡張部を設けた断面図。
【図４】図３のハウジングにガスケットを一体成形している断面図。
【図５】本発明に係る第２の形態のガスケット構造体の断面図。
【図６】第２の形態のガスケット構造体の樹脂材製のハウジングに突起を設けた断面図。
【図７】図６の樹脂材製のハウジングの突起先端を溶融して拡張部を設けた断面図。
【図８】図７のハウジングにガスケットを一体成形している断面図。
【図９】従来技術に係るガスケット構造体の断面図。
【図１０】他の従来技術に係るガスケット構造体の断面図。
【発明を実施するための形態】
【００１６】
以下、本発明を実施するための最良の形態について説明する。
本発明に係る第１の形態のガスケット構造体は、図１に示す様に、ゴム状弾性材製ガスケット１を固着する熱可塑性樹脂材製のハウジング２に設けた突起２１の先端２１１に溶融により係止用の拡張部２１２が形成されたものであって、このガスケット１が拡張部２１２を包み込む様に一体成形されている。
また、ガスケット１には、相手ハウジング２との密封性を高める為に、先端が尖ったリップ部１１が形成されている。
【００１７】
ハウジング２に使用される熱可塑性樹脂は、熱を加えると変形しやすくなる樹脂で、分子は長い鎖のような形をしていて、加熱により成形できる樹脂材である。
熱可塑性樹脂としては、ＡＢＳ樹脂、ＰＰ（ポリプロピレン）、ＰＥ（ポリエチレン）、ＰＳ（ポリスチレン）、ＰＭＭＡ（アクリル）、ＰＥＴ（ポリエチレンテレフタレート）、ＰＰＥ（ポリフェニレンエーテル）、ＰＡ（ナイロン／ポリアミド）、ＰＣ（ポリカーボネイト）、ＰＯＭ（ポリアセタール）、ＰＢＴ（ポリブチレンテレフタレート）、ＰＰＳ（ポリフェニレンサルファイド）、ＰＥＥＫ（ポリエーテルエーテルケトン）、ＬＣＰ（液晶ポリマー）、フッ素樹脂、ウレタン樹脂等が挙げられ、各種用途に応じて適宜選択して用いられる。
【００１８】
ガスケット１に使用される材料は、ゴム状弾性を備えたゴム材である。
ゴム材としては、ニトリルゴム、アクリルゴム、ＥＰＤＭ、ＣＲ、シリコーンゴム、フッ素ゴム、天然ゴム等が挙げられ、各種用途に応じて適宜選択して用いられる。
【００１９】
また、ハウジング２に設けた突起２１の先端２１１を溶融する手段は、熱ごて、遠赤外線加熱、超音波溶着、振動溶着等、熱可塑性樹脂の一部を溶融できるものであれば使用できるが、局部的に溶融できること、及び短時間で処理が出来ることから、超音波溶着、若しくは振動溶着が好ましい。
【００２０】
この様に、ハウジング２に設けた突起２１の先端２１１を溶融することにより、拡張部２１２が形成されるため、拡張部２１２の角部が丸く形成できる。
この為、機械切削により成形した際に、不可避的に発生する尖った角部が、拡張部２１２に存在しない為、ガスケット１に応力が加わった際にも、拡張部２１２の角部によりガスケット１が損傷を受けることが無い。
【００２１】
また、拡張部２１２は、突起２１の先端２１１の全体に渡って形成してもよいが、ガスケット１がハウジング２側から脱落する危険性少ない場合は、拡張部２１２を、突起２１の先端２１１の一部分に形成する態様であってもよい。
【００２２】
本発明に係る第１の形態のガスケット構造体は、以下の工程により製造される。
最初に、図２に示す様に、ゴム状弾性材製ガスケット１を固着する樹脂材製のハウジング２に、突起２１を設ける形に成形する。
ついで、図３に示す様に、突起２１の先端２１１を溶融することにより係止用の拡張部２１２を形成する。
ついで、図４に示す様に、成形金型３を用いて、拡張部２１２を包み込む様にゴム状弾性材製ガスケット１を形成する。
最後に、成形金型３より、ガスケット構造体を離型することにより、図１に示すガスケット構造体が得られる。
【００２３】
ついで、本発明に係る第２の形態のガスケット構造体につき、図５乃至図８に基づき説明する。
先に説明した第１の形態のガスケット構造体と相違する点は、図５に示す様に突起２１が、ハウジング２に設けた溝２２内に存在することである。
このため、第１の形態のガスケット構造体に比べ、ガスケット１がハウジング２側から脱落することを、更に確実に阻止出来る。
特に、本発明に係るガスケット構造体は、ハウジング２に設けた突起２１の先端２１１を溶融することにより、拡張部２１２を簡単に形成出来るため、突起２１が、ハウジング２に設けた溝２２内に存在する態様において、特に有効である。
【００２４】
本発明に係る第２の形態のガスケット構造体は、以下の工程により製造される。
最初に、図６に示す様に、ゴム状弾性材製ガスケット１を固着する樹脂材製のハウジング２に設けた溝２２内に、突起２１を設ける形に成形する。
ついで、図７に示す様に、突起２１の先端２１１を溶融することにより係止用の拡張部２１２を形成する。
つで、図８に示す様に、成形金型３を用いて、拡張部２１２を包み込む様に、溝２２内にゴム状弾性材製ガスケット１を形成する。
最後に、成形金型３より、ガスケット構造体を離型することにより、図５に示すガスケット構造体が得られる。
【００２５】
また、本発明は上述の発明を実施するための最良の形態に限らず、本発明の要旨を逸脱することなくその他種々の構成を採り得ることはもちろんである。
【産業上の利用可能性】
【００２６】
本発明に係るガスケット構造体は、電子機器の防水、エンジン用カムカバーの防水等に使用できる。
【符号の説明】
【００２７】
１    ガスケット
２    ハウジング
３    成形金型
１１  リップ部
２１  突起
２１１先端
２１２拡張部
【図１】
2011047488.tif 000003
【図２】
2011047488.tif 000004
【図３】
2011047488.tif 000005
【図４】
2011047488.tif 000006
【図５】
2011047488.tif 000007
【図６】
2011047488.tif 000008
【図７】
2011047488.tif 000009
【図８】
2011047488.tif 000010
【図９】
2011047488.tif 000011
【図１０】
2011047488.tif 000012